(57)【特許請求の範囲】
【請求項１】
インシュレータの一端側にレセプタクルコネクタと嵌合するためのレセプタクルコネクタ嵌合部を、他端側にＦＰＣと嵌合するためのＦＰＣ嵌合部とを備えたＦＰＣ接続用シールド機能付きプラグコネクタにおいて、上記インシュレータはＦＰＣ嵌合部側に複数のコンタクトをインサート成形により当該インシュレータの幅方向に配設した樹脂成形品からなり、該インシュレータを、両端部が開口した導電性材から形成せるシェルの一端側開口よりシェル内に嵌合し、
上記シェルは、インシュレータの嵌合方向に並行する一対の板片を有し、一方の板片における上記ＦＰＣ嵌合部側が上記インシュレータのコンタクトに近付く向きに折曲されることでＦＰＣ嵌合部に向かってコンタクトに近付く向きに傾斜する傾斜面を有した段差が形成され、当該板片の上記ＦＰＣ嵌合部側の先端部分と上記コンタクトとの間で上記ＦＰＣを狭持してなることを特徴とするＦＰＣ接続用シールド機能付きプラグコネクタ。
【請求項２】
上記シェルには、上記レセプタクルコネクタ嵌合部に嵌合される相手側レセプタクルコネクタのシェルと弾性接触するための弾性部を備えていることを特徴とする請求項１記載のＦＰＣ接続用シールド機能付きプラグコネクタ。
【請求項３】
上記インシュレータのコンタクト間の基部からレセプタクルコネクタ嵌合部方向に延びる断面略凹字形状の溝部をインシュレータの表面に形成し、上記シェルに設けられた弾性部を上記溝部内に配置していることを特徴とする請求項１又は２記載のＦＰＣ接続用シールド機能付きプラグコネクタ。
【請求項４】
上記コンタクトの先端部の側断面形状を略Ｕ字状とするとともに且つ突出方向が上記シェルの上記一方の板片側に向くように形成していることを特徴とする請求項１乃至３の何れか記載のＦＰＣ接続用シールド機能付きプラグコネクタ。
【請求項５】
上記ＦＰＣ嵌合部側の上記シェルの開口部の開口縁には、上記ＦＰＣを上記一方の板片における上記ＦＰＣ嵌合部側の先端部分との間で押さえて上記ＦＰＣの位置決めを行うＦＰＣ押さえ部を形成したことを特徴とする請求項１乃至４の何れか記載のＦＰＣ接続用シールド機能付きプラグコネクタ。
【請求項６】
上記ＦＰＣ嵌合部側の上記シェルの開口部の開口縁の先端部にＲ面を備えるとともに、上記開口部側に対応する上記ＦＰＣ押さえ部の角隅部にＲ部を備えたことを特徴とする請求項５記載のＦＰＣ接続用シールド機能付きプラグコネクタ。
【請求項７】
上記請求項１乃至６に記載の構成を備えたＦＰＣ接続用シールド機能付きプラグコネクタにおいて、ＦＰＣ嵌合部側のシェルの開口部に対してシェルの内側面の段差方向にＦＰＣの先端部を斜め挿入して後、シェルのＦＰＣ押さえ部とシェルの内側面との間にＦＰＣの両側が押さえられる位置までＦＰＣをシェルの内側面方向へ下ろし、この状態でＦＰＣの先端両側に形成した突起部がシェルの開口部の両側に形成している抜止部に当たる位置までＦＰＣを引き戻し、この引き戻し状態からシェルとＦＰＣをインシュレータのレセプタクルコネクタ嵌合部側方向の所定位置までスライドさせてＦＰＣの先端部をシェルの内側面とコンタクトの先端部との間に挿入嵌合させることを特徴とするＦＰＣ接続用シールド機能付きプラグコネクタのＦＰＣ嵌合方法。
【発明の詳細な説明】
【０００１】
【発明の属する技術分野】
本発明は、ＦＰＣ（フレキシブルプリント配線板）接続用シールド機能付きプラグコネクタに関するものである。
【０００２】
【従来の技術】
従来、使用されているＦＰＣ接続用シールド機能付きプラグコネクタＡは、図１２（ａ）（ｂ）、図１３に示すように複数のコンタクト１０と、金属板からなる第１のシェル２０と、導電性金属板からなる第２のシェル４０と、合成樹脂成形品からなるインシュレータ３０とで構成され、上記第２のシェル４０はインシュレータ３０にインサート成形されており、インシュレータ３０には複数のコンタクト１０が圧入されている。またインシュレータ３０の一端には図１４（ａ）に示すレセプタクルコネクタＢと嵌合するためのレセプタクルコネクタ嵌合部７１と、その反対側にはＦＰＣに嵌合するためのＦＰＣ嵌合部７２とを備える。
【０００３】
【発明が解決しようとする課題】
上述の従来のＦＰＣ接続用シールド機能付きプラグコネクタＡでは、シェルを第１のシェル２０と、第２のシェル４０の２部材から構成していたため、部品点数が多くなるという欠点があった。
【０００４】
一方薄形化するとレセプタクルコネクタ嵌合部７１のインシュレータ３０の肉厚が薄くなり強度が弱くなるので、第２のシェル４０をインサート成形して強度を保つ必要があった。
【０００５】
さらに上記ＦＰＣ接続用シールド機能付きプラグコネクタＡでは、図１４（ａ）に示すレセプタクルコネクタＢの導電性金属板からなるシェル６３と接触するのは第２のシェル４０になるが、第２のシェル４０は弾性部を持たないため、レセプタクルコネクタＢ側に弾性接触させるためのグランドコンタクト６２を設ける必要があった。
【０００６】
尚レセプタクルコネクタＢは、図１４（ｂ）に示すように上記シェル６３と、合成樹脂成形品からなるインシュレータ６５と、インシュレータ６５に圧入固定されるコンタクト６１と、上記グランドコンタクト６２とで構成されている。
【０００７】
本発明は、上記の点に鑑みて為されたもので、その目的とするところは薄形化が可能で且つ部品点数が少ないＦＰＣ接続用シールド機能付きプラグコネクタを提供することにある。
【０００８】
併せて、ＦＰＣを嵌合させるときの作業効率が向上するＦＰＣ接続用シールド機能付きプラグコネクタのＦＰＣ嵌合方法を提供することを目的とする。
【０００９】
【課題を解決するための手段】
上記目的を達成するために、請求項１のＦＰＣ接続用シールド機能付きプラグコネクタに係る発明では、インシュレータの一端側にレセプタクルコネクタと嵌合するためのレセプタクルコネクタ嵌合部を、他端側にＦＰＣと嵌合するためのＦＰＣ嵌合部とを備えたＦＰＣ接続用シールド機能付きプラグコネクタにおいて、上記インシュレータはＦＰＣ嵌合部側に複数のコンタクトをインサート成形により当該インシュレータの幅方向に配設した樹脂成形品からなり、該インシュレータを、両端部が開口した導電性材から形成せるシェルの一端側開口よりシェル内に嵌合し、上記シェルは、インシュレータの嵌合方向に並行する一対の板片を有し、一方の板片における上記ＦＰＣ嵌合部側が上記インシュレータのコンタクトに近付く向きに折曲されることでＦＰＣ嵌合部に向かってコンタクトに近付く向きに傾斜する傾斜面を有した段差が形成され、当該板片の上記ＦＰＣ嵌合部側の先端部分と上記コンタクトとの間で上記ＦＰＣを狭持してなることを特徴とする。
【００１０】
請求項２のＦＰＣ接続用シールド機能付きプラグコネクタに係る発明では、請求項１の発明において、上記シェルには、上記レセプタクルコネクタ嵌合部に嵌合される相手側レセプタクルコネクタのシェルと弾性接触するための弾性部を備えていることを特徴とする。
【００１１】
請求項３のＦＰＣ接続用シールド機能付きプラグコネクタに係る発明では、請求項１又は２の発明において、上記インシュレータのコンタクト間の基部からレセプタクルコネクタ嵌合部方向に延びる断面略凹字形状の溝部をインシュレータの表面に形成し、上記シェルに設けられた弾性部を上記溝部内に配置していることを特徴とする。
【００１３】
請求項４のＦＰＣ接続用シールド機能付きプラグコネクタに係る発明では、請求項１乃至３の何れかの発明において、上記コンタクトの先端部の側断面形状を略Ｕ字状とするとともに且つ突出方向が上記シェルの上記一方の板片側に向くように形成していることを特徴とする。
【００１４】
請求項５のＦＰＣ接続用シールド機能付きプラグコネクタに係る発明では、請求項１乃至４の何れかの発明において、上記ＦＰＣ嵌合部側の上記シェルの開口部の開口縁には、上記ＦＰＣを上記一方の板片における上記ＦＰＣ嵌合部側の先端部分との間で押さえて上記ＦＰＣの位置決めを行うＦＰＣ押さえ部を形成したことを特徴とする。
【００１５】
請求項６のＦＰＣ接続用シールド機能付きプラグコネクタに係る発明では、請求項５の発明において、上記ＦＰＣ嵌合部側の上記シェルの開口部の開口縁の先端部にＲ面を備えるとともに、上記開口部側に対応する上記ＦＰＣ押さえ部の角隅部にＲ部を備えたことを特徴とする。
【００１６】
請求項７のＦＰＣ接続用シールド機能付きプラグコネクタのＦＰＣ嵌合方法にかかる発明では、上記請求項１乃至６に記載の構成を備えたＦＰＣ接続用シールド機能付きプラグコネクタにおいて、ＦＰＣ嵌合部側のシェルの開口部に対してシェルの内側面の段差方向にＦＰＣの先端部を斜め挿入して後、シェルのＦＰＣ押さえ部とシェルの内側面との間にＦＰＣの両側が押さえられる位置までＦＰＣをシェルの内側面方向へ下ろし、この状態でＦＰＣの先端両側に形成した突起部がシェルの開口部の両側に形成している抜止部に当たる位置までＦＰＣを引き戻し、この引き戻し状態からシェルとＦＰＣをインシュレータのレセプタクルコネクタ嵌合部側方向の所定位置までスライドさせてＦＰＣの先端部をシェルの内側面とコンタクトの先端部との間に挿入嵌合させることを特徴とする。
【００１７】
【発明の実施の形態】
以下本発明を一実施形態により説明する。
【００１８】
本発明の実施形態によるＦＰＣ接続用シールド機能付きプラグコネクタＡは、図１（ａ）（ｂ）に示すように、導電性金属板材をプレス加工等により打ち抜き曲げ加工して形成せるシェル２０と、インサート成形により複数のコンタクト１０を備えた合成樹脂成形品からなるインシュレータ３０とからなる。
【００１９】
インシュレータ３０は図２（ａ）（ｂ）に示すようにレセプタクルコネクタＢと嵌合するためのレセプタクルコネクタ嵌合部７１を一端側に、ＦＰＣ５０（図８参照）を嵌合するためのＦＰＣ嵌合部７２を他端側に備える。
【００２０】
コンタクト１０は、インシュレータ３０の他端側の端面（図１では上端面）にインサート成形により幅方向に一定間隔で配設されており、ＦＰＣ５０のシグナルパターン５１（図８参照）に弾性接触するための弾性部１１と、ＦＰＣ５０のシグナルパターン５１との接触部１２と、ＦＰＣ５０を後述するシェル２０の開口部２３（図１（ｂ）参照）に挿入するときにコンタクト１０が挫屈するのを防止するための側断面形状が略Ｕ字形の誘導部１３と、インシュレータ３０にインサート成形されて固定される固定部１４（図４参照）と、図６に示すようにレセプタクルコネクタＢのコンタクト６１と接触するための接触面１５と、レセプタクルコネクタＢをレセプタク嵌合部７１により嵌合する際にレセプタクルコネクタＢのコンタクト６１が挫屈するのを防止するための傾斜面からなる誘導部１６と、インサート成形時に金型で支持される支持部１７とを備えている。
【００２１】
シェル２０は、一枚の導電性金属板材を逆Ｕ字状に折り曲げて前後に並行する形成された板片２０ａ、２０ｂを有するとともに、図１（ｂ）において上端部から一方の板片２０ａの上部に亘る開口部２３０を形成したもので、この開口部２３０の下部に板片２０ａ，２０ｂ間の上記開口部２３を開口している。そして一方の板片２０ａの両側縁には、他方の板片２０ｂ方向に延長し且つ水平断面形状が略コ字状に折り曲げ形成された第１の折り曲げ部２２１を設け、他方の板片２０ｂの両側側縁には、板片２０ａ方向に延長し且つ水平断面形状が略コ字状に折り曲げ形成された第２の折り曲げ部２２２を設けてある。上記の第１の折り曲げ部２２１の中央片（シェル２０の側面に位置する片）と第２の折り曲げ部２２２の中央片（シェル２０の側面に位置する片）にはそれぞれシェル２０のスライド嵌合時にインシュレータ３０の両側面に形成した係止突起３３１，３３２に係止する係止孔２１１、２１２を設けており、折り曲げ部２２２は図１において折り曲げ部２２１の下側にあり、インシュレータ３０に、ＦＰＣ嵌合部７２側からシェル２０を仮被挿する際には折り曲げ部２２２の係止孔２１２が、ＦＰＣ嵌合部７２側に位置する係止突起３３１が係止され、シェル２０のスライド嵌合時には折り曲げ部２２２の係止孔２１２に係止突起３３２が、また折り曲げ部２２１の係止孔２１１に係止突起３３１がそれぞれ係止されるようなっている。このスライド嵌合状態を図２乃至図５に示す。尚図２（ａ）（ｂ）はシェル２０をインシュレータ３０に対してスライド嵌合した状態の正面、背面それぞれから見た示す斜視図を、図３（ａ）、（ｂ）、（ｃ）はシェル２０をインシュレータ３０に対してスライド嵌合した状態の正面図、下面図、背面図を、図４は同上のインシュレータ３０に対してスライド嵌合した状態の側断面図、図５はＦＰＣ５０を嵌合している状態でインシュレータ３０に対してスライド嵌合した状態の側断面図を示す。
【００２２】
また板片２０ａの内側面には両側方向に所定間隔で切り起こしによる係止片２１３を突出形成してあり、シェル２０を上述のようにインシュレータ３０に対してスライド嵌合した際に、図７に示すようにこの係止片２１３が板片２０ａの内側面と対向するインシュレータ３０の面に形成している係止凹部３３３に係止されるようになっている。
【００２３】
折り曲げ部２２１は、シェル２０の板片２０ａ方向（図４においては上方向）の変形を防止するためのものであり、折り曲げ部２２２はシェル２０の板片２０ｂ方向（図４においては下方向）の変形を防止するためのものである。
【００２４】
またシェル２０の板片２０ａ、２０ｂを連結する図１の両側上端部の逆Ｕ字曲げ部の中央片（上側片）の開口部２３０側に臨む側縁にＦＰＣ５０の抜けを防止するための抜止部２４を設け、また逆Ｕ字曲部の板片２０ａ側の垂下片の開口部２３０に臨む側縁より他方の板片２０ｂ方向に、ＦＰＣ嵌合部７２におけるＦＰＣ５０の上方向（図４において）への変形を防止するためのＬ字状のＦＰＣ押さえ部２５１を一体形成し、更に板片２０ｂの中程にはＦＰＣ５０を上記コンタクト１０と挟持するための段差２６１を両側に亘るように形成し、またこの段差２６１の位置と先端部（図１では上端部）の間にはＦＰＣ５０のグランドパターン５２と接触するための接触部２６２を設け、更にＦＰＣ５０の嵌合後にＦＰＣ５０が上方向（図１１（ａ）参照）に変形したときにＦＰＣ５０の表面が破断しないためのＲ部２５２を上記ＦＰＣ押さえ部２５１の角隅部（図１で上端）に形成し、またＦＰＣ５０の嵌合後にＦＰＣ５０が下方向（図１１（ｂ）参照）に変形したときにＦＰＣ５０の表面が破断しないために板片２０ｂの先端（図１で上側）にＲ面２６３を形成し、更にレセプタクルコネクタＢのシェル６３の内面と弾性接触するための接触部２７２を先部に設けた弾性部たる弾性片２７１を板片２０ｂの下端部に（図１で下側）に所定間隔で複数並行に形成してある。
【００２５】
インシュレータ３０は、レセプタクルコネクタＢと嵌合する際にレセプタクルコネクタのコンタクト６１が挫屈するのを防止するための傾斜面からなる誘導部３１をレセプタクルコネクタ嵌合部７１（図１において下部）の片面側に形成し、またコンタクト１０をインサート成形する際に金型で押さえるための孔部３２をレセプタクルコネクタ嵌合部７１側（図１において下部）に形成し、更に両側面には上述した係止突起３３１、係止突起３３２を形成し、更に上部の一面には上記の係止凹部３３３を形成し、またコンタクト１０を配設した一端部（図１では上端部）の両側には、ＦＰＣ５０の上方向（図５において）への変形を防止するための押さえ面３４１とＦＰＣ５０の両側方向への変形を防止するための位置決め面３４２と、シェル２０内に挿入する際にシェル２０を誘導するための誘導面３４３と、ＦＰＣ５０を嵌合するときにＦＰＣ５０の位置決めをするための突き当て面３４４とを設け、またシェル２０の板片２０ｂの内側面に対面する面側には、シェル２０に設けた弾性片２７１と干渉しないように弾性片２７１を収納するとともにその先端の接触部２７２の接触面を外部に露出させるための断面略凹形状の溝部３５をコンタクト１０とコンタクト１０の間においてコンタクト１０の基部側からレセプタクルコネクタ嵌合部７１方向に延長形成し、更に両側下部にそれぞれ形成した凹み部３６０に臨む側部にはレセプタクルコネクタＢと嵌合したときに簡易的に係止するための係止突起３６を設け、更にまたレセプタクルコネクタＢとの誤った嵌合を防止しするための回転非対称の誤嵌合防止構造３７を備えている。
【００２６】
ここで本実施形態のＦＰＣ接続用シールド機能付きプラグコネクタＡに嵌合するＦＰＣ５０は、図８（ａ）に示す表側にはシグナルパターン５１を設け、、同図（ｂ）に示す裏側にはグランドパターン５２を設けている。また上記シェル２０の抜止部２４に係止させるために、ＦＰＣ５０の嵌合側先端部の両側部には側方に突出したは突起部５３をそれぞれ備えている。この両側に突出する突起部５３によりＦＰＣ５０はＴ字型となっている。
【００２７】
次に図１（ａ）（ｂ）に基づいて本実施形態のＦＰＣ接続用シールド機能付きプラグコネクタＡの組み立て手順を説明する。まずコンタクト１０をインサート成形したインシュレータ３０に対してＦＰＣ嵌合部７２側をシェル２０の下端開口からシェル２０内に挿入して、シェル２０の係止孔２１２にインシュレータ３０の係止突起３３１が内側から係止されるまでシェル２０内にインシュレータ３０を押し込んで、仮止め状態とする。
【００２８】
この仮止め状態において、ＦＰＣ接続用シールド機能付きプラグコネクタＡにのＦＰＣ５０を嵌合する手順を図９に基づいて説明する。
【００２９】
まず同図（ａ）に示すように図において上方から斜め下向きにＦＰＣ５０の嵌合側先端部をＦＰＣ嵌合部７２に対応するシェル２０の開口部２３０側から開口部２３を介してシェル２０の板片２０ａ，２０ｂの空間内に挿入し、段差２６１の傾斜面に沿うようにして板片２０ａの内側面とコンタクト１０との間に介入させる。この状態で同図（ｂ）に示すようにＦＰＣ５０がシェル２０のＦＰＣ押さえ部２５１とグランドパターン接触部２６２との間にくるように、図において下方向へ曲げ下ろす。図１０（ａ）及び（ｂ）はこのときの正面及び背面から見た斜視図である。
【００３０】
その後同図（ｃ）に示すようにシェル２０の抜止部２４にＦＰＣ５０の突起部５３が当たるまでＦＰＣ５０を矢印方向に引き戻す。そして同図（ｄ）に示す矢印方向にシェル２０とＦＰＣ５０とを共にスライドさせると、シェル２０の両側の係止孔２１２にインシュレータ３０の両側の係止突起３３２が、またシェル２０の両側の係止孔２１１にインシュレータ３０の両側の係止突起３３１がそれぞれ係止されるとともに、インシュレータ３０の係止凹部３３３にシェル２０の係止片２１３が係止される。
【００３１】
またシェル２０とＦＰＣ５０がスライドされるとコンタクト１０の弾性部１１が弾性変形し、この変形により接触圧力が生じ、ＦＰＣ５０のシグナルパターン５１とコンタクト１１の接触部１２及びグランドパターン５２とシェル２０のグランドパターン接触部２６２が接触することになる。図５はこの状態を示す断面図である。また図１０（ｃ）、（ｄ）はこのときの正面及び背面から見た斜視図である。
【００３２】
さて本実施形態のＦＰＣ接続用シールド機能付きのプラグコネクタＡのレセプタクルコネクタ嵌合部７１にレセプタクルコネクタＢを図６及び図７に示すように嵌合すると、レセプタクルコネクタＢのコンタクト６１の弾性部が変形し、この変形により接触圧力が生じ、プラグコネクタＡのシェル２０とレセプタクルコネクタＢのシェル６３が接触する。同時にＦＰＣ接続用シールド機能付きプラグコネクタＡのシェル２０の弾性片２７１の先部の接触部２７２がシェル６３の内面に弾接して変形し、この変形によりシェル６０の内面に対する接触圧力が生じ、互いのシールド用外殻を構成するプラグコネクタＡのシェル２０とレセプタクルコネクタＢのシェル６０が電気的に接続される。
【００３３】
【発明の効果】
請求項１のＦＰＣ接続用シールド機能付きプラグコネクタに係る発明は、インシュレータの一端側にレセプタクルコネクタと嵌合するためのレセプタクルコネクタ嵌合部を、他端側にＦＰＣと嵌合するためのＦＰＣ嵌合部とを備えたＦＰＣ接続用シールド機能付きプラグコネクタにおいて、上記インシュレータはＦＰＣ嵌合部側に複数のコンタクトをインサート成形により当該インシュレータの幅方向に配設した樹脂成形品からなり、該インシュレータを、両端部が開口した導電性材から形成せるシェルの一端側開口よりシェル内に嵌合し、上記シェルは、インシュレータの嵌合方向に並行する一対の板片を有し、一方の板片における上記ＦＰＣ嵌合部側が上記インシュレータのコンタクトに近付く向きに折曲されることでＦＰＣ嵌合部に向かってコンタクトに近付く向きに傾斜する傾斜面を有した段差が形成され、当該板片の上記ＦＰＣ嵌合部側の先端部分と上記コンタクトとの間で上記ＦＰＣを狭持してなるので、薄形化してもレセプタクルコネクタ嵌合部の強度が十分に得られ、シェルを２部材にしてインサート成形する必要がなくなり、そのためシェルを１部材で構成でき、部品点数を減らすことができるという効果がある。
また、上記シェルがインシュレータの嵌合方向に並行する一対の板片を有し、一方の板片における上記ＦＰＣ嵌合部側が上記インシュレータのコンタクトに近付く向きに折曲されることでＦＰＣ嵌合部に向かってコンタクトに近付く向きに傾斜する傾斜面を有した段差が形成され、当該板片の上記ＦＰＣ嵌合部側の先端部分と上記コンタクトとの間で上記ＦＰＣを狭持しているので、コンタクトがＦＰＣの厚みだけでなくシェルの段差分を加えた量だけ変形することができ、そのためコンタクトとＦＰＣのシグナルパターンとの接触圧力やシェルとＦＰＣのグランドパターンとの接触圧力夫々の接触圧力が大きくなり、確実な接触を得ることができるという効果がある。
【００３４】
請求項２のＦＰＣ接続用シールド機能付きプラグコネクタに係る発明は、請求項１の発明において、上記シェルには、上記レセプタクルコネクタ嵌合部に嵌合される相手側レセプタクルコネクタのシェルと弾性接触するための弾性部を備えているため、レセプタルコネクタにグランドコンタクトを設ける必要がなくなり、レセプタクルコネクタ側の部品点数を減らすことができる。
【００３５】
請求項３のＦＰＣ接続用シールド機能付きプラグコネクタに係る発明は、請求項１又は２の発明において、上記インシュレータのコンタクト間の基部からレセプタクルコネクタ嵌合部方向に延びる断面略凹字形状の溝部をインシュレータの表面に形成し、上記シェルに設けられた弾性部を上記溝部内に配置しているので、シェルの弾性部とインシュレータとの干渉を防ぐことができ、プラグコネクタを薄形化することができる。
【００３７】
請求項４のＦＰＣ接続用シールド機能付きプラグコネクタに係る発明は、請求項１乃至３の何れかの発明において、上記コンタクトの先端部の側断面形状を略Ｕ字状とするとともに且つ突出方向が上記シェルの上記一方の板片側に向くように形成しているので、ＦＰＣをコンタクトの先端部とシェルの内側面との間に仮挿入する時にもコンタクトの挫屈を防ぐことができる。
【００３８】
請求項５のＦＰＣ接続用シールド機能付きプラグコネクタに係る発明は、請求項１乃至４の何れかの発明において、上記ＦＰＣ嵌合部側の上記シェルの開口部の開口縁には、上記ＦＰＣを上記一方の板片における上記ＦＰＣ嵌合部側の先端部分との間で押さえて上記ＦＰＣの位置決めを行うＦＰＣ押さえ部を形成したので、ＦＰＣの仮挿入時及びＦＰＣ嵌合時に、ＦＰＣが上記内側面と反対方向に変形するのを防ぐことができる。
【００３９】
請求項６のＦＰＣ接続用シールド機能付きプラグコネクタに係る発明は、請求項５の発明において、上記ＦＰＣ嵌合部側の上記シェルの開口部の開口縁の先端部にＲ面を備えるとともに、上記開口部側に対応する上記ＦＰＣ押さえ部の角隅部にＲ部を備えたので、ＦＰＣの嵌合時にＦＰＣが嵌合方向と直交する方向に変形しても、ＦＰＣの破断を防ぐことができる。
【００４０】
請求項７のＦＰＣ接続用シールド機能付きプラグコネクタのＦＰＣ嵌合方法にかかる発明は、上記請求項１乃至６に記載の構成を備えたＦＰＣ接続用シールド機能付きプラグコネクタにおいて、ＦＰＣ嵌合部側のシェルの開口部に対してシェルの内側面の段差方向にＦＰＣの先端部を斜め挿入して後、シェルのＦＰＣ押さえ部とシェルの内側面との間にＦＰＣの両側が押さえられる位置までＦＰＣをシェルの内側面方向へ下ろし、この状態でＦＰＣの先端両側に形成した突起部がシェルの開口部の両側に形成している抜止部に当たる位置までＦＰＣを引き戻し、この引き戻し状態からシェルとＦＰＣをインシュレータのレセプタクルコネクタ嵌合部側方向の所定位置までスライドさせてＦＰＣの先端部をシェルの内側面とコンタクトの先端部との間に挿入嵌合させるので、ＦＰＣを仮挿入した際に、シェルのＦＰＣ押さえ部及び抜止部によって位置決めできるため、ＦＰＣの斜め嵌合等の誤嵌合に注意する必要がなくなり、ＦＰＣを嵌合させるときの作業効率が向上する。
【図面の簡単な説明】
【図１】（ａ）は本発明の一実施形態の正面方向から見た分解斜視図である。
（ｂ）は同上の背面方向から見た分解斜視図である。
【図２】（ａ）は同上のインシュレータにシェルをスライド嵌合した状態の正面方向から見た斜視図である。
（ｂ）は同上のインシュレータにシェルをスライド嵌合した状態の背面方向から見た斜視図である。
【図３】（ａ）は同上のインシュレータにシェルをスライド嵌合した状態の正面図である。
（ｂ）は同上のインシュレータにシェルをスライド嵌合した状態の下面図である。
（ｃ）は同上のインシュレータにシェルをスライド嵌合した状態の背面図である。
【図４】同上のインシュレータにシェルをスライド嵌合した状態の側断面図である。
【図５】同上のＦＰＣを嵌合した状態の図３（ａ）に示すＸ−Ｘ部位の断面図である。
【図６】同上にレセプタクルコネクタを嵌合した状態の図３（ａ）に示すＸ−Ｘ部位の断面図である。
【図７】同上にレセプタクルコネクタを嵌合した状態の図３（ｃ）に示すＹ−Ｙ部位の断面図である。
【図８】（ａ）は同上に用いるＦＰＣの正面方向から見た斜視図である。
（ｂ）は同上に用いるＦＰＣの背面方向から見た斜視図である。
【図９】同上のＦＰＣの嵌合手順の説明図である。
【図１０】（ａ）は同上にＦＰＣを仮挿入した状態の正面方向から見た斜視図である。
（ｂ）は同上にＦＰＣを仮挿入した状態の背面方向から見た斜視図である。
（ｃ）は同上にＦＰＣを嵌合した状態の正面方向から見た斜視図である。
（ｄ）は同上にＦＰＣを嵌合した状態の背面方向から見た斜視図である。
【図１１】同上にＦＰＣを嵌合した状態におけるＦＰＣの変形時の説明図である。
【図１２】（ａ）は従来例の分解斜視図である。
（ｂ）は同上の斜視図である。
【図１３】同上の側断面図である。
【図１４】（ａ）はプラグコネクタに嵌合させるレセプタクルコネクタの斜視図である。
（ｂ）は同上の分解斜視図である。
【符号の説明】
Ａ    プラグコネクタ
１０  コンタクト
２０  シェル
３０  インシュレータ
７１  レセプタクルコネクタ嵌合部
７２  ＦＰＣ嵌合部
【図１】
0004436011.tif 000002
【図２】
0004436011.tif 000003
【図３】
0004436011.tif 000004
【図４】
0004436011.tif 000005
【図５】
0004436011.tif 000006
【図６】
0004436011.tif 000007
【図７】
0004436011.tif 000008
【図８】
0004436011.tif 000009
【図９】
0004436011.tif 000010
【図１０】
0004436011.tif 000011
【図１１】
0004436011.tif 000012
【図１２】
0004436011.tif 000013
【図１３】
0004436011.tif 000014
【図１４】
0004436011.tif 000015